(57)【要約】【課題】郵便物の宛名面に画像を配置する場合に、配達時期や宛先の場所に合った画像を比較的簡単に選択できる印刷制御装置、印刷装置及び印刷制御プログラムを提供する。【解決手段】ハガキ（郵便物の一例）の宛名面に宛先情報を含む文字情報と画像とを印刷させる印刷制御装置は、時期と場所とのうち少なくとも一方に関連付けられた画像を記憶部に記憶する。印刷制御装置は、ハガキの宛名面に印刷するために作成された宛名面データに対して処理のなされた時期を取得し（Ｓ３１）、その宛名面データに対応する宛先情報から特定される場所を取得する（Ｓ３２）。また、宛名人のユーザーとの関係を示す識別情報を取得する（Ｓ３３）。識別情報を基に判定した結果（Ｓ３４）、フォーマル用であれば、時期、場所に応じたフォーマル用の画像を選択し（Ｓ３５）、カジュアル用であれば、時期、場所に応じたカジュアル用の画像を選択する（Ｓ３６）。【選択図】図１０
2015104824.tif 000002
【特許請求の範囲】
【請求項１】
郵便物の宛名面に宛先情報と画像とを印刷するための印刷用データを生成する印刷制御装置であって、
時期と場所とのうち少なくとも一方に関連付けられた画像を記憶する記憶部から、郵便物の宛名面に印刷するために作成された宛名面データに対して処理のなされた時期と、前記宛名面データに対応する宛先情報から特定される場所とのうち少なくとも一方に関連付けられた画像を選択し、当該画像を表示部に表示させる画像選択部と、
前記画像選択部により選択された前記画像を含む宛名面データに基づき印刷用データを生成する生成部と、
を備えたことを特徴とする印刷制御装置。
【請求項２】
前記記憶部には、前記宛先情報に対応する宛名人ごとにフォーマル用とカジュアル用を識別可能な識別情報が記憶され、
前記画像選択部は、前記識別情報に基づいてフォーマル用であると識別すれば、フォーマル用の画像を選択し、カジュアル用であると識別すれば、カジュアル用の画像を選択することを特徴とする請求項１に記載の印刷制御装置。
【請求項３】
前記場所は国以上の地域であり、前記記憶部には、前記国以上の地域に関連付けて画像が記憶されており、
前記画像選択部は、前記記憶部に記憶された前記宛先情報に基づいて宛先地の属する国以上の地域を判定し、当該判定した地域に関連付けられた画像を選択することを特徴とする請求項１又は２に記載の印刷制御装置。
【請求項４】
前記記憶部には、時期と場所とに関連付けられた画像が記憶されており、
前記画像選択部は、前記宛名面データに対する処理のなされた時期と、前記宛先情報から特定される場所とを取得し、当該時期と場所とに関連付けられた画像を選択して前記表示部に表示させることを特徴とする請求項１乃至３のいずれか一項に記載の印刷制御装置。
【請求項５】
前記時期は、前記宛名面データの作成時期、更新時期、印刷時期、及び前記宛名面データに対して登録された投函時期のうち少なくとも一つを含むことを特徴とする請求項１乃至４のいずれか一項に記載の印刷制御装置。
【請求項６】
前記画像に印刷濃度を薄くする画像処理を施す画像処理部を、
更に備えたことを特徴とする請求項１乃至５のいずれか一項に記載の印刷制御装置。
【請求項７】
前記画像処理部は、前記画像処理としてトーンカーブ補正処理を行い、
前記トーンカーブ補正処理で用いられるトーンカーブは、補正前の画像の明度の全域で、補正後の画像の明度が零より大きい一定の閾値以上に設定され、補正前の画像の明度の最低値寄りの一部の範囲において補正後の画像の明度が前記閾値に設定され、且つ前記最低値寄りの一部よりも明度が高い範囲においては、補正前の画像の明度が大きいほど、補正後の画像の明度が大きくなるよう設定されていることを特徴とする請求項６に記載の印刷制御装置。
【請求項８】
前記画像処理部は、前記画像処理としてトーンカーブ補正処理を行い、
前記トーンカーブ補正処理で用いられるトーンカーブは、補正前の画像の明度の全域において、補正後に零より大きい閾値以上の値をとり、且つ補正前の画像の明度が大きいほど、補正後の画像の明度が大きくなるよう設定されていることを特徴とする請求項６に記載の印刷制御装置。
【請求項９】
前記印刷用データは印刷データであって、
請求項１乃至８のいずれか一項に記載の印刷制御装置と、
前記印刷制御装置の前記生成部が生成した前記印刷データに基づき前記画像を印刷する印刷部と、
を備えたことを特徴とする印刷装置。
【請求項１０】
郵便物の宛名面に宛先情報と画像とを印刷する印刷用データを生成するためにコンピューターに実行させる印刷制御プログラムであって、
時期と場所とのうち少なくとも一方に関連付けられた画像を記憶する記憶部から、郵便物の宛名面に印刷するために作成された宛名面データに対して処理のなされた時期と、前記宛名面データに対応する宛先情報から特定される場所とのうち少なくとも一方に関連付けられた画像を選択し、当該画像を表示部に表示させる画像選択ステップと、
選択された前記画像を含む宛名面データに基づき印刷用データを生成する生成ステップと、
を備えたことを特徴とする印刷制御プログラム。
【発明の詳細な説明】
【技術分野】
【０００１】
本発明は、ハガキや封筒等の郵便物の宛名面に画像を印刷する印刷制御装置、印刷装置及び印刷制御プログラムに関する。
【背景技術】
【０００２】
例えば特許文献１には、顧客情報に基づく宛名情報を文字情報ファイルから引き出し、宛名情報に対応する顧客固有の絵柄情報をイメージ情報ファイルから引き出し、宛名及び絵柄を封筒に印刷する封筒作成システムが開示されている。しかし、特許文献１に記載の封筒作成システムでは、宛名情報として使用されるのは宛名（宛名人の名前）の情報である。そして、宛名に対してユーザーが予め関連付けておいた画像を宛名面に配置するものであった。
【先行技術文献】
【特許文献】
【０００３】
【特許文献１】特開平５−３１９４３９号公報
【発明の概要】
【発明が解決しようとする課題】
【０００４】
ところで、宛名面に画像を配置する場合、配達される時期に合った画像を配置することが好ましい場合がある。例えば年賀状やクリスマスカード等の郵便物を作成又は印刷するときには、その郵便物が配達される正月やクリスマスの時期に合った画像を配置したい要請がある。また、宛先の場所に合った画像を配置することが好ましい場合がある。例えば宛先の場所が日本国内であれば、その宛先の場所に合った日本らしい画像を配置したり、宛先の場所が日本以外の外国であれば、その外国に合った画像を配置したりすることが好ましい。
【０００５】
しかし、特許文献１に記載された封筒作成システムによれば、前述のように宛名に関連付けられた画像が配置されるものの、時期や場所に合った画像は、ユーザーが自分で記憶部に記憶された多数の画像の中から探す必要があった。このため、宛名面に印刷するべき画像の選択に時間がかかり宛名面の作成に長い時間を要したり、時間をかけない場合は適切な画像が選択されなかったりするなどの問題があった。なお、このような課題は、封筒に限らず、ハガキなど宛名面を有する郵便物でも同様に当てはまる。
【０００６】
本発明は、上記課題を解決するためになされたものであり、その目的は、郵便物の宛名面に画像を配置する場合に、配達時期や宛先の場所に合った画像を比較的簡単に選択することができる印刷制御装置、印刷装置及び印刷制御プログラムを提供することにある。
【課題を解決するための手段】
【０００７】
以下、上記課題を解決するための手段及びその作用効果について記載する。
上記課題を解決する印刷制御装置は、郵便物の宛名面に宛先情報と画像とを印刷するための印刷用データを生成する印刷制御装置であって、時期と場所とのうち少なくとも一方に関連付けられた画像を記憶する記憶部から、郵便物の宛名面に印刷するために作成された宛名面データに対して処理のなされた時期と、前記宛名面データに対応する宛先情報から特定される場所とのうち少なくとも一方に関連付けられた画像を選択し、当該画像を表示部に表示させる画像選択部と、前記画像選択部により選択された前記画像を含む宛名面データに基づき印刷用データを生成する生成部と、を備えている。なお、宛名面データに対応する宛先情報とは、宛名面データに含まれる宛先情報に限らず、例えば宛名面データに対応する宛名人の住所録データ中の住所など、宛名面データに直接含まれないものの対応付けがなされた宛先情報も含む概念である。また、印刷用データは、印刷に用いられる印刷データと、印刷内容を表示部に表示させるために用いられるプレビューデータ等の印刷内容表示用データとを含む概念である。ここでいう印刷内容表示用データには、印刷プレビューデータが含まれる他、宛名面編集画面に宛名面編集結果（その時点の宛名面印刷内容）を表示させるために宛名面データを基に生成される表示用宛名面データも含まれる。
【０００８】
この構成によれば、画像選択部は、宛名面データに対する処理のなされた時期と、宛名面データに対応する宛先情報から特定される場所とのうち少なくとも一方に関連付けられた画像を記憶部から読み出して表示部に表示させる。よって、郵便物の宛名面に印刷するための宛名面データを作成する場合において、宛名面データに対する処理がなされた時期と宛先情報から特定される場所とのうち少なくとも一方に合った画像を比較的簡単に選択することができる。
【０００９】
また、上記印刷制御装置において、前記記憶部には、前記宛先情報に対応する宛名人ごとにフォーマル用とカジュアル用を識別可能な識別情報が記憶され、前記画像選択部は、前記識別情報に基づいてフォーマル用であると識別すれば、フォーマル用の画像を選択し、カジュアル用であると識別すれば、カジュアル用の画像を選択することが好ましい。
【００１０】
この構成によれば、画像選択部は、宛先情報に対応する宛名人の識別情報が、フォーマル用を指すものであればフォーマル用の画像を選択し、カジュアル用を指すものであればカジュアル用の画像を選択する。よって、識別情報に応じたフォーマル用又はカジュアル用の画像を表示部に表示させることができる。例えば、上司等のフォーマルな関係にある宛名人の場合、表示部にフォーマルな画像が表示される。一方、友人等のカジュアルな関係にある宛名人の場合、表示部にカジュアル用の画像が表示される。よって、ユーザーと宛名人との関係に応じた適切な画像を選択することができる。
【００１１】
また、上記印刷制御装置において、前記場所は国以上の地域であり、前記記憶部には、前記国以上の地域に関連付けて画像が記憶されており、前記画像選択部は、前記記憶部に記憶された前記宛先情報に基づいて宛先地の属する国以上の地域を判定し、当該判定した地域に関連付けられた画像を選択することが好ましい。
【００１２】
この構成によれば、画像選択部によって、宛先情報に基づいて宛先地の属する国以上の地域が判定され、この判定した地域と関連付けられた画像を選択する。このため、宛先地の属する例えば国に合った画像が選択される。例えば日本であれば、正月用の画像が選択される。地域が国より広い例えば欧米であれば、クリスマス用の画像を選択することができる。
【００１３】
さらに上記印刷制御装置において、前記画像に印刷濃度を薄くする画像処理を施す画像処理部を、更に備えていることが好ましい。
この構成によれば、画像処理部によって、画像に印刷濃度を薄くする画像処理が施される。このため、例えば宛先情報を含む文字情報が画像と重なっても、その画像と重なった文字が視認し易い。
【００１４】
また、上記印刷制御装置において、前記記憶部には、時期と場所とに関連付けられた画像が記憶されており、前記画像選択部は、前記宛名面データに対する処理のなされた時期と、前記宛先情報から特定される場所とを取得し、当該時期と場所とに関連付けられた画像を選択して前記表示部に表示させることが好ましい。
【００１５】
この構成によれば、画像選択部によって、宛名面データに対する処理がなされた時期と宛先情報から特定される場所とが取得され、当該時期と場所とに関連付けられた画像が選択され表示部に表示される。よって、特定された場所において、その処理がなされた時期から特定される配達時期に応じた行事等に合った画像が選択され、その選択された画像を表示部に表示させることができる。例えば時期が１２月の中旬の日にちであって、場所が日本であれば正月用の画像が選択される。また、時期が同じであっても、場所が欧米であれば、クリスマス用の画像が選択される。例えば時期だけで画像を選択しようとすると、宛先が欧米であるにも拘わらず正月用の画像が選択される場合があるが、場所と時期との両方から特定するので、場所と時期に合った適切な画像を選択することができる。
【００１６】
また、上記印刷制御装置において、前記時期は、前記宛名面データの作成時期、更新時期、印刷時期、及び前記宛名面データに対して登録された投函時期のうち少なくとも一つを含むことが好ましい。
【００１７】
この構成によれば、画像選択部は、宛名面データの作成時期、更新時期、印刷時期、及び前記宛名面データに対して登録された投函時期のうち少なくとも一つを含む時期なので、配達時期に合った画像を選択できる。
【００１８】
さらに上記印刷制御装置において、前記画像処理部は、前記画像処理としてトーンカーブ補正処理を行い、前記トーンカーブ補正処理で用いられるトーンカーブは、補正前の画像の明度の全域で、補正後の画像の明度が零より大きい一定の閾値以上に設定され、補正前の画像の明度の最低値寄りの一部の範囲において補正後の画像の明度が前記閾値に設定され、且つ前記最低値寄りの一部よりも明度が高い範囲においては、補正前の画像の明度が大きいほど、補正後の画像の明度が大きくなるよう設定されていることが好ましい。
【００１９】
この構成によれば、画像に対してトーンカーブに基づいてトーンカーブ補正処理が施されると、補正前の画像における明度の最低値寄りの部分が、補正後に、零より大きい一定の閾値に補正される。よって、補正前の画像における明度の最低値寄りの部分（暗い部分）を含む画像の全体が、一定の閾値以上の印刷濃度となる淡い画像に補正することができる。また、前記最低値寄りの部分よりも明度が大きい部分においては、補正前の画像の明度が大きいほど、補正後の画像の明度が大きくなるよう設定されている。このため、トーンカーブ補正処理によって、淡いながらも補正前の画像の明度が反映された画像が得られる。例えば、補正前の画像の暗部（明度の最低値寄りの部分）以外で、補正前の画像の明度が反映されることで、補正後の画像に淡いながらも元の絵柄が反映され易い。
【００２０】
また、上記印刷制御装置において、前記画像処理部は、前記画像処理としてトーンカーブ補正処理を行い、前記トーンカーブ補正処理で用いられるトーンカーブは、補正前の画像の明度の全域において、補正後に零より大きい閾値以上の値をとり、且つ補正前の画像の明度が大きいほど、補正後の画像の明度が大きくなるよう設定されていることが好ましい。
【００２１】
この構成によれば、補正後の画像はその全域で明度が閾値以上あり、補正前の画像に対して、補正前の画像の明度が大きくなるほど、補正後の画像の明度が大きくなるようにトーンカーブ補正処理が施されるので、画像の全域で印刷濃度を薄くすることができるうえ、補正前の画像の明度が反映された補正後の画像を得ることができる。例えば、補正前の画像の明度が反映されることで、補正後の画像に淡いながらも元の絵柄が反映され易い。
【００２２】
上記課題を解決する印刷装置は、前記印刷用データは印刷データであって、上記の印刷制御装置と、前記印刷制御装置の前記生成部が生成した前記印刷データに基づき前記画像を印刷する印刷部と、を備えている。この構成によれば、上記の印刷制御装置と同様の作用効果を得ることができる。
【００２３】
上記課題を解決する印刷制御プログラムは、郵便物の宛名面に宛先情報と画像とを印刷する印刷用データを生成するためにコンピューターに実行させる印刷制御プログラムであって、時期と場所とのうち少なくとも一方に関連付けられた画像を記憶する記憶部から、選択中の宛先情報を含むとともに郵便物の宛名面に印刷するために作成された宛名面データに対する処理のなされた時期と、選択中の宛先情報から特定される場所とのうち少なくとも一方に関連付けられた画像を選択し、当該画像を表示部に表示させる画像選択ステップと、選択された前記画像を含む宛名面データに基づき印刷用データを生成する生成ステップと、を備えている。
【００２４】
この構成によれば、コンピューターに印刷制御プログラムを実行させることにより、印刷制御装置と同様の作用効果を得ることができる。
【図面の簡単な説明】
【００２５】
【図１】一実施形態の印刷装置を示す斜視図。
【図２】印刷装置の電気的構成を示すブロック図。
【図３】印刷装置内のコンピューターの機能構成を示すブロック図。
【図４】（ａ）は宛名面編集画面を示す模式図、（ｂ）は表示選択用のボタンを示す模式図、（ｃ）は画像処理選択用のボタンを示す模式図。
【図５】文字情報と画像とが配置された宛名面領域を示す平面図。
【図６】正月用の画像が一覧表示された例を示す模式図。
【図７】クリスマス用の画像が一覧表示された例を示す模式図。
【図８】画像処理後の画像と文字情報とが配置された宛名面領域を示す平面図。
【図９】宛名面印刷処理を示すフローチャート。
【図１０】画像選択処理ルーチンを示すフローチャート。
【図１１】画像処理ルーチンを示すフローチャート。
【図１２】補正マップを示すグラフ。
【図１３】変形例における補正マップを示すグラフ。
【図１４】図１３と異なる変形例の補正マップを示すグラフ。
【図１５】変形例における印刷制御装置の構成を示すブロック図。
【図１６】図１５と異なる変形例における印刷制御装置の構成を示すブロック図。
【発明を実施するための形態】
【００２６】
以下、印刷装置をインクジェット式プリンターに具体化した一実施形態について、図面を参照して説明する。
図１に示すように、印刷装置１１は、略長方体形状の装置本体１２と、郵便物の一例としてのハガキＰを給送（給紙）する給送部１３と、装置本体１２からハガキＰを排出（排紙）する排出部１４と、を備えている。給送部１３は、給送するハガキＰを支持する給送トレイ１５を有し、排出部１４は、排出したハガキＰを支持する排出トレイ１６を有している。
【００２７】
また、印刷装置１１は、液晶ディスプレイなどからなる表示部１７と、印刷装置１１を持ち運ぶ際に持ち手となる取手部１８と、文字入力などが可能な操作部３０とを備えている。表示部１７は、印刷装置１１の各種情報を表示可能とし、印刷装置１１の設定画面やハガキＰの宛名面及び通信面の編集画面などを表示する。また、操作部３０は、装置本体１２と赤外線通信などの近距離無線通信が可能な無線式のキーボードである。このため、印刷装置１１のユーザーは、操作部３０を介して印刷装置１１を操作することとなる。なお、操作部３０には、文字などを入力するために操作されるキー操作部３１と、設定画面中の各種設定項目を選択するために操作される例えば十字キーからなる選択操作部３２と、選択した項目などを確定したり実行したりするために操作される確定操作部３３とを有している。
【００２８】
装置本体１２の側面には、印刷装置１１の電源をオンにしたりオフにしたりする場合に操作される電源ボタン２１が設けられている。また、装置本体１２の前面には、操作部３０と通信するためのインターフェースの一部を構成する無線通信ポート２２が設けられている。
【００２９】
図２に示すように、印刷装置１１は、装置本体１２内において、給送部１３から排出部１４にハガキＰを搬送する搬送ローラー２３と、同搬送ローラー２３を駆動する搬送モーター２４と、ハガキＰにインクを噴射して文字や画像を印刷する印刷ヘッド２５と、印刷装置１１の制御を司るコントローラー４０と、を備えている。こうして、印刷装置１１は、コントローラー４０の制御に基づいて、給送トレイ１５から給送したハガキＰに印刷を行うとともに、印刷済みのハガキＰを排出トレイ１６に排出することで一連の印刷動作を行う。なお、本実施形態の印刷装置１１は、ハガキＰの宛名面及び通信面の作成から、ハガキＰの印刷までを単体で実施可能なプリンターである。
【００３０】
次に、図２を参照して印刷装置１１の電気的構成について説明する。
図２に示すように、コントローラー４０は、印刷ヘッド２５を駆動するヘッドユニット４１と、搬送モーター２４を駆動するモータードライバー４２と、表示部１７を駆動する表示ドライバー４３と、コンピューター５０とを備えている。また、印刷装置１１は、操作部３０と通信を行うための通信インターフェース４４（以下Ｉ／Ｆ４４ともいう。）と、メモリーカード３５を接続するためのカードインターフェース４５（以下「Ｉ／Ｆ４５」ともいう。）とを備えている。そして、コンピューター５０は、ＣＰＵ５１、ＡＳＩＣ５２（Application Specific Integrated Circuit）、不揮発性メモリー５３、及びＲＡＭ５４を含んで構成されている。
【００３１】
ＲＡＭ５４には、ハガキＰに印刷する宛名面と通信面との印刷内容を作成・編集する際に生成されるデータが一時的に記憶される。このとき、まずＲＡＭ５４には、宛先情報、画像、文字情報等の各レイヤーを配置するための仮想のキャンバスとして、ハガキＰの宛名面に対応する宛名面領域１００（図４、図５参照）と、ハガキＰの通信面に対応する通信面領域とが確保される。なお、レイヤーは階層の情報を有するデータを指す。
【００３２】
ここで、宛名面領域１００は、ユーザーが操作部３０により選択したハガキ（例えば年賀ハガキ）に対応する空白（ブランク）の宛名面の画像が不揮発性メモリー５３から読み出されてＲＡＭ５４のこの領域に書き込まれることにより生成される。この宛名面領域１００は、表示ドライバー４３がＲＡＭ５４のデータに基づく宛名面の画像を表示部１７に表示することにより、宛名面編集画面上で視覚化される（図４、図５参照）。ユーザーは操作部３０の操作によって、宛名面領域１００の上で、宛先情報の文字を書き込むテキストボックスの作成及び画像の配置、その宛先情報や画像の編集及びその配置位置の変更が可能となる。ユーザーが宛名面領域１００上に配置した宛先情報や画像は、位置情報（座標情報）と共にＲＡＭ５４に記憶される。これらの位置情報は、例えば宛名面領域１００上の任意の基準座標（例えば左上コーナーを原点とする座標（０，０））に対する相対座標で表され、例えばテキストボックスや画像の矩形領域の対角に位置する二つのコーナーの座標により示される。同様に、通信面領域は、ＲＡＭ５４に確保される仮想のキャンバスで、空白の通信面の画像が書き込まれることにより生成される。この通信面領域は、表示ドライバー４３がＲＡＭ５４のデータに基づく通信面の画像を表示部１７に表示することにより、通信面編集画面上で視覚化される。ユーザーは操作部３０の操作によって、表示された通信面領域の上で、文字情報の文字を書き込むテキストボックスの作成や画像の配置、その文字情報や画像の編集及び配置位置の変更等が可能となる。
【００３３】
不揮発性メモリー５３には、印刷装置１１の各種制御に必要なプログラム及びデータ等が記憶される。また、不揮発性メモリー５３には、前述の年賀ハガキを含む複数種のハガキに関する宛名面と通信面のそれぞれの空白の画像データ、及び宛名面と通信面に文字や画像を配置する際の代表的な複数のレイアウトのデータ等が記憶されている。
【００３４】
次に、図３を参照して、コントローラー４０の機能的構成について説明する。
コントローラー４０は、プログラムを実行するＣＰＵ５１によりソフトウェアとして構築される機能部分と、プログラムが書き込まれたＡＳＩＣ５２内の回路により構築される機能部分とを備えている。詳しくは、コントローラー４０は、ユーザーの操作部３０を介した操作に従って、ハガキＰの宛名面の編集及び通信面の編集と、それぞれの編集結果を印刷するための印刷データの生成などを行う印刷制御装置６０と、その生成された印刷データに基づいて印刷ヘッド２５及び搬送モーター２４を駆動制御する印刷制御部７０とを備えている。なお、本実施形態では、印刷制御部７０、印刷ヘッド２５、及び搬送モーター２４によって印刷エンジン４６が構成されている。また、印刷制御装置６０は、その機能構成部分として、文字配置部６１、画像選択部６２、画像処理部６３、表示処理部６４、印刷データ生成部６５、及び記憶部６６を備えている。
【００３５】
記憶部６６は、例えば不揮発性メモリー５３の所定記憶領域と、各種のデータが一時読み込まれるＲＡＭ５４の所定記憶領域等により構成される。記憶部６６には、住所録データＡＤ、画像データＩＤ及び補正マップＭＡ等のデータが記憶されている。これらの住所録データＡＤ、画像データＩＤ及び補正マップＭＡの各データは、記憶部６６のうち不揮発性メモリー５３の所定記憶領域に記憶され、印刷装置１１の電源をオフしても保持される。また、記憶部６６には、前述の宛名面領域１００の表示に使用される各種ハガキの空白の宛名面画像やレイアウトデータ、ユーザーが作成・編集した宛名面データ及び通信面データなど、ユーザーが編集作業を行ううえで表示される各種画面の形成に必要なデータや、印刷に使用するデータ等も記憶されている。また、記憶部６６のうちＲＡＭ５４の所定記憶領域は、不揮発性メモリー５３又はメモリーカード３５から読み込まれた画像データや、編集画面に表示させるために用いられる宛名面データ及び通信面データ等のデータが一時記憶される作業領域として用いられる。なお、記憶部６６は、サーバーから印刷装置１１にダウンロードされた画像データが一時読み込まれるＲＡＭ５４の所定記憶領域、又はそのダウンロードされた画像データが書き込まれる不揮発性メモリー５３の所定記憶領域を含んでいる。
【００３６】
住所録データＡＤは、ユーザーが登録した住所録のデータであり、宛名別に宛先となる住所、郵便番号、氏名（宛名）、ユーザーと宛名人の関係等の情報が登録されている。ここで、「ユーザーと宛名人との関係」を示す情報は、宛名人がユーザーに対してどのような関係にあるかを識別するための識別情報であり、この識別情報を基に宛名人がユーザーの上司であるか、友人であるかなどの関係を識別可能となっている。例えばユーザーは住所録に登録するときに、住所、氏名等と共に「関係」の入力欄に「上司」「友人」等の該当する関係を選択入力する。この「関係」の識別情報は、後述する画像自動選択時に使用される。宛名面に画像を配置する場合、宛名人が上司であればフォーマルな画像が好ましく、友人であればカジュアル（インフォーマル）な画像が好ましい。識別情報は、フォーマル用の画像とカジュアル用の画像のうちどちらの画像が適切かを判別するために用いられる。
【００３７】
画像データＩＤは、編集画面上の宛名面領域１００又は通信面領域に配置するべき画像を選択できるように予め記憶部６６に記憶されたもので、通常、多数の画像群により構成される。本実施形態では、画像データＩＤは、時期と場所とのうち少なくとも一方に関連付けられて記憶部６６に記憶されている。ここで、時期としては、例えば正月やクリスマス等の特定の日にち又は時期を特定可能な行事、特別な週間、月や季節等が挙げられる。また、場所としては、国、州、県、市町村、及び国より広い文化圏等の地域が挙げられる。
【００３８】
記憶部６６には、正月用の画像データの一例として、図６に一覧表示された画像データが記憶されている。また、クリスマス用の画像データの一例として、図７に一覧表示された画像データが記憶されている。そして、例えば正月用の画像は、時期を「１月１日」に設定され、クリスマス用の画像は時期を「１２月２４日、２５日」に設定される。また、例えば正月用の画像は、場所が「日本」に設定され、クリスマス用の画像は場所が「欧米」に設定されている。
【００３９】
編集画面の宛名面領域１００に画像を自動配置する場合、ユーザーが宛名面を作成する新規の宛名面領域１００を作成してから、これまでの宛名面データに対して処理のなされた時期の履歴（年月日）を基に、予め設定された前述の行事や季節等の時期の中から、その宛名面データを基に印刷されるハガキＰの配達日の属する時期を推定する。
【００４０】
本実施形態の画像選択部６２は、宛名面データに対して処理のなされた時期の履歴（年月日）が、予め記憶部６６に前述の行事や季節ごとに対応付けて記憶された期間のうち、どの期間に属するかを調べる。これらの期間は、正月やクリスマス等の行事の日にハガキＰが配達されるように、ユーザーが編集画面で宛名面データを作成・編集するであろうとみなしうる期間や、宛名面データに対する印刷処理がなされるであろうとみなしうる期間に設定している。例えば正月用の年賀状であれば、１月１日に宛名人にハガキＰが配達されるように、ユーザーは例えば１２月１日〜１２月３１日の範囲の期間に宛名面の作成・編集・印刷をするとみなすことができる。さらに返信用の年賀状を作成・編集・印刷する場合もあるので、上記の期間に、１月１日〜１月７日の期間を加え、例えば１２月１日〜１月７日の期間が正月用の期間として設定されている。同様に、例えばクリスマスカードであれば、１２月２４日又は２５日に宛名人にハガキＰが配達されるように、ユーザーは例えば１２月１日〜１２月２４日の期間に宛名面を作成・編集・印刷するとみなすことができる。また、クリスマスカードを返信する場合もあるので、この期間に返信用の１２月２５日を加え、例えば１２月１日〜１２月２５日の期間がクリスマス用の期間として設定されている。なお、時期に対応する期間から、返信用の期間は除いてもよい。なお、この時期と場所の詳細な設定については後述する。
【００４１】
さらに本実施形態では、画像データＩＤは、その画像がフォーマル用であるかカジュアル用であるかその画像種が関連付けられた状態で記憶部６６に記憶されている。例えば宛名人が「上司」である場合に使用が適切な画像データは、フォーマル用に関連付けられ、宛名人が「友人」である場合に使用が適切な画像データは、カジュアル用に関連付けられている。なお、画像データを、時期と場所と画像種とのうち少なくとも一つに関連付ける方法としては、例えば画像データＩＤのヘッダーに、時期と場所と画像種の情報を組み込む方法、個々の画像データに設定された時期と場所と画像種の情報が、その画像データに関連付けて格納されたテーブルデータを記憶部６６に記憶しておく方法などがある。そして、ヘッダーの情報又はテーブルデータを参照することで、時期と場所と画像種に関連付けられた画像（画像データ）を選択する構成などが挙げられる。
【００４２】
また、図３に示す文字配置部６１は、入力された宛先情報１１２や氏名１１３などを含む宛先情報１１２を含む文字情報１１０を宛名面領域１００（図４、図５等を参照）に配置する機能を有している。
【００４３】
画像選択部６２は、表示中の宛名面領域１００（図４、図５を参照）に配置された文字情報１１０及び画像等を含む宛名面データに対する処理がなされた時期（例えば年月日）を取得する。また、画像選択部６２は、その宛名面領域１００に配置された宛先情報１１２から特定される場所、又は住所録一覧表の中で選択中の宛先情報から特定される場所を特定する。例えば宛名面領域１００が宛先情報の記入前でまだ空白の場合は、住所録一覧表にそのとき選択中の宛先情報があれば、その選択中の宛先情報から場所を特定する。
【００４４】
さらに画像選択部６２は、住所録データＡＤを検索して、宛名面領域１００に配置された宛先情報１１２と対応する宛名人を探し、住所録データＡＤにおいてその宛名人に登録された「関係」の情報（識別情報）を取得する。このとき、宛名面領域１００が空白の場合は、住所録データＡＤを検索して選択中の宛名人があればその宛名人に登録されている「関係」の情報を取得する。そして、画像選択部６２は、「関係」を示す識別情報に基づいて、識別情報と画像種との対応関係が格納された前述のテーブルデータを参照して、選択するべき画像の画像種（本例ではフォーマル用とカジュアル用）を決定する。例えば識別情報として用いられる「関係」が「上司」であれば、画像種をフォーマル用とし、「友人」であれば画像種をカジュアル用とする。そして、画像選択部６２は、特定した時期と場所と画像種を基に関連付けられた画像データを、記憶部６６に記憶された画像データＩＤ群の中から選択し、その選択した画像を表示部１７に表示させる。
【００４５】
ここで、画像自動選択機能において、宛名面データに対する処理がなされた時期とは、宛名面データの作成時期、更新時期、印刷時期等を指す。作成時期とは、新規に宛名面データを作成した時期であり、この時期は一つの宛名面データに一つ存在する。更新時期には、編集するために開いた宛名面データを編集途中に保存操作を行って更新した時期と、編集を終えて宛名面データを閉じる操作を行って更新した時期とがある。印刷時期は、宛名面データに基づく印刷を行った時期である。これら三種類の時期は、年月日時分で特定される。
【００４６】
画像自動配置機能においては、処理がなされた年月日情報から、年（例えば西暦又は和暦）、干支、季節、月、行事等を特定する。行事としては、例えば正月、お盆、暑中見舞い、寒中見舞い、イースター、ハロウィン、クリスマス等が挙げられる。このように時期には、行事日のような時期そのものだけでなく、行事日を一義的に特定可能な行事名も含まれる。これは、行事名でも時期と同様に時期に応じて画像を分類できるからである。
【００４７】
また、画像自動選択機能において、宛先情報から特定される場所とは、本実施形態では宛先地（住所）の属する、国、州、県、市町村、あるいは国より広い文化圏などの地域である。例えば固有の文化・風習等を共有する地域であれば、複数の州、複数の県又は複数の市町村が集まった地域でもよい。また、国より広い地域としては、例えばユーロッパ、アジア、アフリカ、北アメリカ、南アメリカ、オセアニア等が挙げられる。この場合、アジアについては更に区分した東南アジア、中央アジア、西南アジア（中東）、東アジア等でもよい。また、ヨーロッパとアメリカとを含む欧米でもよい。
【００４８】
記憶部６６には、時期（年、干支、季節、月、行事等）と場所（国、国より狭い地域、国より広い地域）と画像種（フォーマル用、カジュアル用）に関連付けられて複数の画像データＩＤが記憶されている。画像データＩＤには、写真、絵、イラスト、図案等が含まれる。また、記憶部６６はデータの書込みが可能であるため、ユーザーは好みの画像データＩＤを記憶部６６に書き込むことができる。この場合、画像を分類する時期（季節、行事等）及び画像を分類する場所（国等）を登録するための登録画面が表示され、登録画面において時期と場所と画像種を入力することにより、ユーザーは好みの画像を、時期と場所と画像種とを関連付けて記憶部６６に書き込むことができる。このため、ユーザーは好みの画像データを含む画像選択用データベースの構築が可能となっている。なお、画像と関連付けられる時期、場所、画像種は、一つの画像に関連付けられる数は１つずつに限定されず、それぞれ複数あってもよい。例えば、一つの画像に複数の時期（正月とクリスマス）、複数の場所（例えばヨーロッパと北アメリカ）、複数の画像種（フォーマル用とカジュアル用）が設定されていてもよい。これは、画像の内容によっては、正月とクリスマスの両方に適した画像、ヨーロッパと北アメリカの両方に適した画像、フォーマル用とカジュアル用の両方に適した画像などが存在するからである。また、画像によっては、時期に関係なく使用されるもの、場所に関係なく使用されるものもあり、この種の画像にはその旨が識別できるようになっている。
【００４９】
そして、画像選択部６２は、宛名面データに対する処理がなされた時期（以下、「処理時期」ともいう。）を基に、その処理のなされた時期から予測される配達時期に合った行事（イベント）や季節等の時期（以下、「画像分類時期」ともいう。）を特定し、その特定した時期と、宛先情報から特定される場所と、画像種とを基に、その特定した時期と場所と画像種に適した画像を選択する。なお、宛名面データに対する処理がなされた時期を基に特定される行事や季節等の時期は、画像データＩＤが関連付けられている時期と整合し、宛先情報から特定される場所は、画像データＩＤが関連付けられている場所と整合する。
【００５０】
宛名面データに対する処理がなされた時期としては、宛名面データの作成時期、更新時期、印刷時期のうち少なくとも一つを用いる。本実施形態では、これら三種類の処理時期の全てを用いる例で説明する。もちろん、宛名面データの作成時期、更新時期、印刷時期の三種類の処理時期のうち一つだけを用いてもよいし、これら三種類の処理時期のうち選択された二種類の処理時期を用いてもよい。
【００５１】
ここで、ユーザーは一度の電源オンで宛名面データの作成・編集・印刷を行ってしまうとは限らず、印刷装置１１の電源のオフ・オンを繰り返し、複数回に亘って少しずつ宛名面の作成・編集・印刷を行う場合がある。また、印刷も、昨年作成した宛名面データを用いて、その宛名面領域１００に画像を配置して今年用に編集する場合もある。これらの場合、更新時期と印刷時期とのうち少なくとも一方が複数存在する。
【００５２】
このため、更新時期が複数ある場合、それぞれの更新時期についてどの期間に属するかを判定してもよいし、編集時間を記憶するようにし、編集時間が最長である一つの更新時期を採用するようにしてもよい。さらに、更新時期が複数あるときはその平均の更新時期を使用してもよい。この場合、更新時期と編集時間とに基づく加重平均を更新時期として採用してもよい。また、印刷時期が複数ある場合、それぞれについてどの期間に属するかを判定してもよいが、印刷回数（例えば印刷枚数）を記憶し、印刷回数の最も多い一つの印刷時期を採用してもよい。さらに印刷時期が複数あるときはその平均の印刷時期を使用してもよい。この場合、印刷時期と印刷回数とに基づく加重平均を印刷時期として採用してもよい。また、作成時期、更新時期、印刷時期に優先順位を設定しておき、優先順位の一番高いものを用いて時期を特定することを原則とし、一番優先順位の高いものがない場合に、次に優先順位の高いものを用いる方法としてもよい。また、作成時期、更新時期、印刷時期の３つの各時期を総合的に解析して、宛名面データに対する処理のなされた時期を取得してもよい。
【００５３】
画像処理部６３は、画像選択部６２により選択されて宛名面領域１００に配置された画像Ｉｍｇに画像処理を施す。例えば、画像処理部６３は、記憶部６６に記憶された補正マップＭＡを用いて、宛名面領域１００に配置された画像Ｉｍｇ（図５参照）を一定以上の明度に補正して同画像Ｉｍｇの印刷濃度を薄くする画像処理を施す。これにより、画像Ｉｍｇは文字情報の背景として配置しても文字情報を視認できる程度に淡くなる（図７参照）。
【００５４】
表示処理部６４は、表示部１７に設定画面を表示させたり、ユーザーが操作部３０を操作して選択した選択結果に応じた各種画面を表示させたりする。また、表示処理部６４は、ハガキＰの宛名面及び通信面の編集画面を表示部１７に表示させる。このとき、ユーザーが画像選択機能を利用した場合、表示処理部６４は、画像選択部６２が選択した画像データＩＤを、宛名面編集画面中の宛名面領域１００に表示させたり、表示部１７に一覧表示したりする。また、ユーザーが印刷プレビューを指示したとき、表示処理部６４は、ハガキＰの宛名面に印刷される内容を含む印刷プレビュー画像を表示部１７に表示させる。このとき、表示処理部６４は、宛名面データに基づいて編集画面に表示させるべき宛名面内容の表示用データや印刷プレビューデータを生成し、これらのデータを基に宛名面編集画面や印刷プレビューを表示部１７に表示させる。こうした点で、本実施形態では、表示処理部６４が「生成部」の一例に相当する。
【００５５】
印刷データ生成部６５は、宛名面領域１００に配置された文字情報１１０及び画像Ｉｍｇを含む宛名面データに基づいて印刷データを生成したり、通信面領域に配置された文字情報及び画像を含む通信面データに基づいて印刷データを生成したりする。ここで、宛名面データと通信面データのそれぞれの表色系は特に限定されないが、ここでは一例としてＲＧＢ表色系のデータとする。また、印刷データは、印刷ヘッド２５から噴射されるインクの色に対応したＣＭＹＫ表色系の印刷画像データと、印刷制御部７０が印刷制御に用いるコマンド（命令）とを含んでいる。こうした点で、本実施形態では、印刷データ生成部６５が「生成部」の一例に相当する。
【００５６】
印刷エンジン４６を構成する印刷制御部７０には、印刷データ生成部６５が生成した印刷データが入力される。印刷制御部７０は、印刷データ中の印刷画像データに基づいて、印刷ヘッド２５の駆動を制御するヘッド制御部７１と、印刷データ中のコマンドに基づいて搬送モーター２４を制御する搬送制御部７２とを有している。ハガキＰに印刷するとき、ヘッド制御部７１が印刷画像データに基づいて印刷ヘッド２５のノズルからインクを噴射する噴射制御を行うとともに、搬送制御部７２がコマンドに基づいてハガキＰを搬送する搬送制御を行う。こうした点で、本実施形態では、印刷エンジン４６が「印刷部」の一例に相当する。
【００５７】
図４に示すように、宛名面編集画面における宛名面領域１００には、宛先の郵便番号１１１、宛名人の住所等を含む宛先情報１１２、宛名人の氏名１１３、差出人の住所及び氏名を含む差出人情報１１４及び差出人側の郵便番号１１５などを含む文字情報１１０が配置される。
【００５８】
また、図４に示すように、文字情報１１０は文字領域１３０内に配置される。文字領域１３０は例えばテキストボックスからなり、一つの文字領域１３０が、その中に配置された文字列を移動、拡大・縮小及び編集等をする単位となる。文字領域１３０には、宛先の郵便番号１１１が記載される郵便番号枠を含む文字領域１３１、宛名人の宛先情報１１２が記載される文字領域１３２、氏名１１３が記載される文字領域１３３、差出人の住所・氏名等の差出人情報１１４を含む文字領域１３４、及び差出人の郵便番号が記載される郵便番号枠を含む文字領域１３５が含まれる。ユーザーは、操作部３０を操作することにより、選択した文字領域１３０の位置の移動、文字領域１３０内の文字列の編集、文字列と共に行われる文字領域１３０の拡大・縮小等が可能となっている。
【００５９】
また、図４に示すように、宛名面領域１００に対して宛先情報１１２及び氏名１１３が縦書きの場合、図５に示す画像Ｉｍｇが配置された領域が、縦書き用の画像配置領域として設定されている。画像配置領域は、縦書用と横書用とで異なる。ハガキＰが例えば年賀ハガキであれば、宛名面領域１００において、料額印面１２０、郵便番号１１１，１１５を記入する郵便番号枠、及びお年玉くじの抽選番号などを含む領域は印刷禁止領域となっている。画像配置領域は、これらの印刷禁止領域を避けた領域のうち、なるべく広い領域を確保できる位置に設定されている。なお、横書きの場合、画像配置領域は、例えば郵便番号１１１の下側で且つ料額印面１２０の右側の領域に設定されている。
【００６０】
また、図４に示す編集画面では、各種の設定を選択することが可能な設定ボタンが表示されている。例えば図４に示すように、印刷装置１１に宛名面に配置するべき適切な画像を自動選択させるときに選択される画像自動選択ボタン１４１が設けられている。また、画像自動選択機能が有効とされた場合に、自動選択された画像の表示方法を選択するボタンが用意されている。図４の例では、自動選択された最適な一枚の画像を表示させる設定を選択するための一枚表示ボタン１４２と、自動選択された複数の画像のうち優先順位の高い所定枚数の画像を表示させる一覧表示を選択するための一覧表示ボタン１４３とが設けられている。
【００６１】
一枚表示ボタン１４２を操作部３０の操作で選択して「一枚表示」を有効とした場合、最適な一枚の画像が、図５に示すように、宛名面領域１００における画像配置領域に配置（表示）される。但し、自動選択された画像が気に入らない場合、ユーザーが操作部３０の操作により次候補の画像に切替える操作を行う度に、宛名面領域１００に配置された画像が次候補の画像に順次切替えることが可能となっている。
【００６２】
また、一覧表示ボタン１４３を操作部３０の操作で選択して「一覧表示」を有効とした場合、図６及び図７に示すように、自動選択された複数の画像ＩＤが一覧表示された一覧表示画面１５０が表示される。ここで、図６に示す一覧表示画面１５０は、正月用のフォーマルな画像ＩＤが一覧表示された例である。また、図７に示す一覧表示画面１５０は、クリスマス用のフォーマルな画像ＩＤが一覧表示された例である。ユーザーが操作部３０の操作で一覧表示画面１５０中の複数の画像ＩＤのうちから所望の画像を選択することができ、選択した所望の画像は、図５と同様に宛名面領域１００の画像配置領域に配置される。
【００６３】
また、図４に示すように、宛名面編集画面には、宛名面領域１００に配置された画像Ｉｍｇ（図５参照）に自動で画像処理を施すことを選択するための自動画像処理ボタン１４４と、その画像Ｉｍｇに対してユーザーが所望する画像処理条件を設定しつつ手動で画像処理を施すことを選択するための手動画像処理ボタン１４５とが設けられている。
【００６４】
自動画像処理ボタン１４４を操作部３０の操作で選択して「自動画像処理」を有効とした場合、図５に示す宛名面領域１００に配置された画像Ｉｍｇに対して画像処理部６３による画像処理が施される。この画像処理の結果、図５に示す画像ＩｍｇにＲＧＢ値（明度）を高くする補正が行われ、宛名面領域１００の画像Ｉｍｇが、図８に示すような印刷濃度が薄くなるように補正された淡い画像Ｉｍｇ１に置き換わる。
【００６５】
一方、手動画像処理ボタン１４５を操作部３０の操作で選択して「手動画像処理」を有効とした場合、自動画像処理は行われない。つまり、ユーザーは操作部３０を操作して画像処理の種類の選択及びその選択した画像処理における画像処理条件の設定を行ったうえで、その選択した画像処理の実行を操作することで、これを受け付けた画像処理部６３が、その設定された条件に従って画像Ｉｍｇに対して画像処理を施す。例えば、ユーザーが自動画像処理を選択した場合、図５に示す画像ＩｍｇにＲＧＢ値（明度）を高くする補正が行われ、宛名面領域１００の画像Ｉｍｇが、図８に示すような印刷濃度が薄くなるように補正された淡い画像Ｉｍｇ１に置き換わる。
【００６６】
なお、印刷濃度とは、ハガキＰの宛名面に印刷された印刷画像の濃度を指す。例えば印刷ドットの密度が小さいほど、印刷濃度は薄くなる。また、印刷ドットの密度は、単位面積当たりの印刷ドット数が少ないほど小さくなる。また、印刷ドットに複数種のサイズがある場合は、単位面積当たりの印刷ドット数が少ないほど、且つ印刷ドットのサイズが小さいほど、印刷ドットの密度は小さくなる。
【００６７】
次に、図９に示すフローチャートを参照して、宛名面領域１００に画像Ｉｍｇを配置するためにコンピューター５０が実行する処理ルーチンについて説明する。コンピューター５０は、不揮発性メモリー５３から読み出した印刷制御プログラムを実行することで、この処理ルーチンを行う。
【００６８】
図８に示すように、本処理ルーチンにおいて、ステップＳ１１では、コンピューター５０は、ユーザーによる操作部３０の操作などに基づいて、入力された文字情報１１０を宛名面領域１００に配置する。例えば入力された郵便番号１１１、宛先情報１１２、氏名１１３及び差出人情報１１４等の文字情報１１０を宛名面領域１００に配置する。文字情報１１０は、必要に応じてユーザーが操作した操作部３０からの操作信号に基づき位置調整される。なお、既に宛名面データが作成済みの場合、ユーザーは住所録で宛名人を指定する。この場合、操作部３０からの操作信号に基づいて住所録で指定された宛名人に対応する文字情報１１０が記憶部６６から読み出されて宛名面領域１００に配置される。
【００６９】
図４に示すように、宛名面領域１００に文字情報１１０が配置されると、次にユーザーは宛名面に画像を配置することを希望する場合、画像を配置する操作を行う。画像の配置は、例えばフォルダーを開いて、多数の画像の中から適切な画像を探して、適切な画像が見つかるとそれを選択して宛名面領域１００に配置する複数の操作と時間をかけて手動配置で行うことができる。しかし、この手動配置による方法は、操作の手間と適切な画像を探すのに必要な長い所要時間とが欠点となる。本実施形態では、適切な画像を自動で選択する画像自動選択機能があるので、例えばユーザーは画像自動選択機能を利用する。この場合、ユーザーは図４（ａ）に示す編集画面において、操作部３０の操作により画像自動選択ボタン１４１を選択する。なお、自動選択された画像の表示方法は、予めに図４（ｂ）に示す画面でユーザーによる操作で設定されており、適切な画像を一枚表示させる一枚表示を希望する場合、ユーザーは一枚表示ボタン１４２を選択し、適切な複数の画像を一覧表示させる一覧表示を希望する場合、ユーザーは一覧表示ボタン１４３を選択する。
【００７０】
また、図４（ｃ）に示す画面で、ユーザーは画像に印刷濃度を薄くする画像処理を自動で施すか否かを設定でき、画像処理を自動で施したい場合、ユーザーは自動画像処理ボタン１４４を選択し、画像処理を施さないか手動操作で画像処理を施す場合、ユーザーは手動画像処理ボタン１４５を選択する。これらの設定内容は記憶部６６に書き込まれている。ここで、図９に示す処理ルーチンは、自動画像処理の設定が有効になっているときの処理を示すものである。ユーザーが画像自動選択ボタン１４１を選択すると、ステップＳ１２の処理が開始される。なお、図４（ａ）に示す編集中（選択中）の宛名面領域１００で作成・編集等された宛名面データのこれまでの作成時期、更新時期、印刷時期等の時期に関する時期情報は記憶部６６に保存されている。
【００７１】
ステップＳ１２では、コンピューター５０が画像を選択する画像自動選択処理を行う。コンピューター５０は、宛名面データに対して処理がなされた時期、宛先情報から特定される場所、宛先情報に対応する宛名人に登録されたユーザーとの「関係」を示す識別情報を取得する。このとき用いる宛先情報は、宛名面領域１００に配置されたものと、住所録で選択中のものとのどちらでもよい。そして、画像選択部６２は、これらの時期、場所、識別情報に基づいて、記憶部６６に記憶された画像データＩＤ群から、これらの時期から特定される行事（例えば正月）、場所から特定される地域（例えば日本）、識別情報から特定される画像種（例えばフォーマル用）に関連付けられた画像データを選択する。なお、一枚表示が設定されている場合、選択された画像が複数あれば、優先順位の一番高い一枚の画像が選択される。また、本実施形態では、このステップＳ１２の処理が「画像選択ステップ」の一例に相当する。
【００７２】
ステップＳ１３では、コンピューター５０が、選択した画像を宛名面領域１００に配置する。ここで、一枚表示が設定されている場合、画像選択部６２は、宛名面領域１００の画像配置領域に選択された一枚の画像を配置する。一方、一覧表示が設定されている場合、画像選択部６２は、選択した画像のうち優先順位の高いものから所定枚数の画像を一覧表示画面１５０に一覧表示する（図６、図７参照）。そして、ユーザーが操作部３０の操作で一覧表示画面１５０から所望の画像を選択すると、画像選択部６２は、その選択信号に基づいてその選択された画像データを記憶部６６から読み出して、その画像データに基づく画像を宛名面領域１００における画像配置領域に配置する。こうして画像Ｉｍｇは宛名面領域１００上に表示される（図５参照）。その後、ユーザーは必要に応じて操作部３０を操作して画像Ｉｍｇを位置調整する。配置された画像データＩｍｇは、宛名面データの一部として記憶部６６に記憶される。
【００７３】
そして、次のステップＳ１４では、コンピューター５０は、ユーザーによってプレビュー操作がなされているか否かを判定する。この「プレビュー操作」とは、ハガキＰの宛名面に印刷する印刷内容の表示部１７への表示を印刷装置１１に要求するための操作を指す。プレビュー操作がなされていない場合（ステップＳ１４：ＮＯ）、処理が後述するステップＳ１７に移行される。一方、プレビュー操作がなされている場合（ステップＳ１４：ＹＥＳ）、処理がステップＳ１５に移行される。
【００７４】
このステップＳ１５では、コンピューター５０は、画像Ｉｍｇ（画像データ）に画像処理を施す。この画像処理は画像処理部６３によって行われ、処理が次のステップＳ１５に移行される。なお、このステップＳ１５で実施される画像処理は、プレビューデータを生成するための処理である。そのため、この画像処理では、プレビュー用の低解像度の画像に対して処理が行われる。
【００７５】
そして、ステップＳ１６では、コンピューター５０は、プレビュー画像を表示する表示処理を行う。この表示処理は表示処理部６４により行われ、ハガキＰの宛名面に印刷する印刷内容を示すプレビュー画像が表示部１７に表示される。このプレビュー画像では、図８に示すように、淡く補正された画像Ｉｍｇ１が文字情報１１０の背景に配置された宛名面領域１００のプレビュー画像が表示される。その後、処理が次のステップＳ１７に移行される。
【００７６】
ステップＳ１７では、コンピューター５０は、ユーザーによってハガキＰの宛名面への印刷が指示されたか否かを判定する。ユーザーによる宛名面への印刷の指示がない場合（ステップＳ１７：ＮＯ）、本処理ルーチンが終了される。一方、ユーザーによって宛名面への印刷が指示された場合（ステップＳ１７：ＹＥＳ）、処理がステップＳ１８に移行される。
【００７７】
ステップＳ１８では、コンピューター５０は、画像Ｉｍｇ（画像データ）に画像処理を施す。この画像処理は画像処理部６３によって行われ、処理が次のステップＳ１９に移行される。なお、このステップＳ１８で実施される画像処理は、印刷データの生成に用いられる画像Ｉｍｇに施される処理である。このため、この画像処理では、印刷用の高解像度の画像に対して処理が行われる。画像処理後の画像Ｉｍｇ１（画像データ）は、補正前の画像Ｉｍｇに替えて記憶部６６に格納される。なお、宛名面データは、文字情報１１０及び画像Ｉｍｇ１の各データと、文字領域１３０（例えばテキストボックス）の座標及び画像Ｉｍｇ１の座標と、文字情報１１０及び画像Ｉｍｇ１の視方向における階層を示すレイヤー情報と、作成、編集及び印刷等の処理がなされた時期に関する時期情報と共に記憶部６６に格納される。表示された宛名面領域１００は、記憶部６６に格納された宛名面データを基に視覚化されたものであり、図８に示すように視覚化されるのであれば、記憶部６６に記憶される宛名面データの記憶形式は特に問わない。
【００７８】
ステップＳ１９では、コンピューター５０は、宛名面領域１００に配置された文字情報１１０と画像Ｉｍｇ１とを含む宛名面データに基づいて印刷データを生成する。この処理は、印刷データ生成部６５により行われる。したがって、この点で、ステップＳ１９が、「生成ステップ」の一例に相当する。
【００７９】
次のステップＳ２０では、コンピューター５０は、生成した印刷データに基づいて印刷ヘッド２５及び搬送モーター２４を駆動制御し、ハガキＰの宛名面への印刷処理を行う。この印刷処理は、印刷制御部７０によって行われる。この印刷処理を終了すると、本処理ルーチンが終了される。なお、上述の処理ルーチンにおいて、コンピューター５０が実行するステップＳ１２〜Ｓ１９の処理が「印刷制御プログラム」の一例に相当する。
【００８０】
次に図１０を参照して図９におけるステップＳ１２の画像選択処理の内容について説明する。ユーザーが図４（ａ）に示す画像自動選択ボタン１４１を選択する操作を行ったことによる選択信号を操作部３０から入力すると、コンピューター５０は画像選択処理を実行する。
【００８１】
ステップＳ３１では、コンピューター５０は、宛名面データに対する処理のなされた時期（処理時期）を取得する。本例では、画像選択部６２は、記憶部６６からその宛名面データに対して処理のなされた時期を含む履歴情報のうち時期情報を読み出し、作成時期、更新時期及び印刷時期を取得する。例えばこれらの三種類の時期に優先順位が設定され、優先順位の高いものを採用する。例えば印刷時期、更新時期、作成時期の順に優先順位を高く設定した場合、印刷の履歴があれば印刷時期を採用し、印刷の履歴がなく編集の履歴があれば、更新時期を採用し、更に編集の履歴もなければ作成時期を採用する。この場合、印刷時期が複数存在する場合は、印刷回数（印刷枚数）の一番多い一つを採用するが、一番直近の一つを採用したり、平均値や加重平均値を採用したりしてもよい。また、更新時期が複数存在する場合は、編集時間の一番長い一つを採用するが、一番直近の一つを採用したり、平均値や加重平均値を採用したりしてもよい。また、三種類の時期を総合的に解析し適切な時期を割り出す方法でもよい。また、上記三種類の時期に替え、あるいは三種類の時期に加え、画像自動選択ボタン１４１が選択操作された時、つまり画像自動選択処理の実行が指示された時を、処理時期として採用してもよい。
【００８２】
ステップＳ３２では、コンピューター５０は、宛先情報を基に場所を決定する。すなわち、画像選択部６２は、宛先情報１１２を解析してそのうち、都道府県、州など、宛先情報中で一番広い地域を特定し、その特定した地域から、「国」と「国が属する地域」とを特定する。
【００８３】
ステップＳ３３では、コンピューター５０は、識別情報を取得する。すなわち、画像選択部６２は、住所録データＡＤを検索して宛先情報１１２に対応する住所録を探し、その探した住所録中の宛名人に登録されたユーザーとの「関係」を識別情報として取得する。例えば識別情報として「上司」、「友人」等が取得される。
【００８４】
ステップＳ３４では、コンピューター５０は、識別情報を基に判定する。すなわち、画像選択部６２は、識別情報（「関係」）と画像種との対応関係が示されたテーブルデータを参照して、画像種を判定する。つまり、選択するべき画像種がフォーマル用かカジュアル用かを判定する。「関係」が例えば「上司」であればフォーマル用と判定され、例えば「友人」であればカジュアル用と判定される。フォーマル用であればステップＳ３５に移行し、一方、カジュアル用であればステップＳ３６に移行する。
【００８５】
ステップＳ３５では、コンピューター５０は、時期、場所に応じたフォーマル用の画像を選択する。記憶部６６に記憶された画像データＩＤ群は、時期と場所と画像種が関連付けられている。時期を簡単な例で示すと、時期は、一例としてｎ（例えば４）ビットのバイナリーデータからなる時期コードで示される。例えば「０００１」であれば「正月」、「００１０」であれば「クリスマス」、「００１１」であれば「初夏」のように設定されている。各画像データＩＤは、このような時期コードと関連付けられている。また、場所を簡単な例で示すと、場所は、一例としてｎ（例えば４）ビットのバイナリーデータからなる場所コードで示される。例えば「０００１」であれば「日本」、「００１０」であれば「欧米」等のように設定されている。各画像データＩＤは、このような場所コードと関連付けられている。また、画像種を簡単な例で示すと、画像種は、一例としてｍ（例えば２）ビットのバイナリーデータからなる識別コードで示される。例えば「０１」であれば「フォーマル」、「１０」であれば「カジュアル」等のように設定されている。各画像データＩＤは、このような識別コードと関連付けられている。時期、場所、画像種について、どこにも分類できない画像データＩＤの場合、該当するコードに例えばヌルデータが設定されているか、コードそのものが設定されていない。
【００８６】
例えば図６に示す画像データＩＤ１〜ＩＤ９は、どれも正月用のフォーマルな画像である。このため、これらの画像データＩＤ１〜ＩＤ９には、時期コード「０００１」（正月）、場所コード「０００１」（日本）及び識別コード「０１」（フォーマル）が関連付けられている。また、図７に示す画像データＩＤ１１〜ＩＤ１９は、どれもクリスマス用のフォーマルな画像である。このため、これらの画像データＩＤ１１〜ＩＤ１９には、時期コード「００１０」（クリスマス）、場所コード「００１０」（欧米）及び識別コード「０１」（フォーマル）が関連付けられている。
【００８７】
記憶部６６には、時期コードと期間との対応関係を示す時期テーブルデータが記憶されている。時期コード「０００１」（正月）には期間１２月１日〜１月７日が設定され、時期コード「００１０」（クリスマス）には期間１２月１日〜１２月２５日が設定されている。また、時期コード「００１１」（初夏）には例えば期間７月７日〜８月６日が設定されている。画像選択部６２は、この時期テーブルデータを参照して、ステップＳ３１で取得した宛名面データに対して処理のなされた時期が属する期間の有無を調べ、該当する期間があれば、その期間に対応する時期コードを取得する。例えば時期が１２月１５日であったとすると、２つの期間に属するので、時期コードとして「０００１」（正月）と「００１０」（クリスマス）とが取得される。また、例えば時期が７月２０日であったとすると、期間７月７日〜８月６日に属するので、時期コードとして「００１１」（初夏）が取得される。
【００８８】
また、図４（ａ）に示す宛先情報１１２から特定される場所は「日本」なので、場所コードとして「０００１」（日本）が取得される。このため、識別情報からフォーマル用と判定されて移行したステップＳ３５において、時期コードが「０００１」（正月）であり場所コードが「０００１」（日本）である識別コード「０１」（フォーマル）の画像データＩＤ１〜ＩＤ９が選択される。また、ユーザーがクリスマスカードを作成しており、宛先情報１１２として例えば「アメリカ合衆国」の英語の文字列が含まれていると、この宛先情報１１２を解析して場所として例えば「アメリカ合衆国」及び「欧米」を取得する。また、取得した時期が１２月１５日であったとすると、この時期が前述と同様に２つの期間に属するので、時期コードとして「０００１」（正月）と「００１０」（クリスマス）とが取得される。但し、今回は、宛先情報１１２から特定される場所は「欧米」なので、ステップＳ３５において、時期コードが「００１０」（クリスマス）であり場所コードが「００１０」（欧米）である識別コード「０１」（フォーマル）の画像データＩＤ１１〜ＩＤ１９が選択される。さらに、処理時期が７月２０日である場合は、ステップＳ３５において、例えば時期コードが「００１１」（初夏）であり、場所コードが「０００１」（日本）である識別コード「０１」（フォーマル）の暑中見舞い用の画像データが選択される。
【００８９】
また、ステップＳ３６では、コンピューター５０は、時期、場所に応じたカジュアル用の画像を選択する。例えば時期が１２月１５日で、場所が「日本」であったとすると、正月用のカジュアルな画像データが選択される。また、時期が１２月１５日で、場所が「欧米」であったとすると、クリスマス用のカジュアルな画像データが選択される。さらに、例えば時期が、７月２０日で、場所が「日本」であったとすると、暑中見舞い用のカジュアルな画像データが選択される。なお、上記の例では、コードを用いて、時期、場所、画像種と、画像とを関連付けた例を示したが、ヘッダー又はテーブルデータ等を用いて、時期、場所、画像種のうち少なくとも一つと画像との関連付けが可能であれば、どのような関連付け方法でも構わない。なお、本実施形態では、ステップＳ３１，Ｓ３２，Ｓ３５及びＳ３６の処理が、「画像選択ステップ」の一例に相当する。
【００９０】
次のステップＳ３７では、コンピューター５０は、一覧表示が選択されているか否かを判定する。一覧表示が選択されていない、つまり一枚表示が選択されているときは、ステップＳ３８に移行され、一覧表示が選択されているときは、ステップＳ３９に移行される。
【００９１】
ステップＳ３８では、コンピューター５０は、最適な一つの画像を宛名面領域１００の画像配置領域に配置し、この最適な画像を宛名面領域１００上に表示させる。こうして表示部１７には、例えば図５に示すように、正月用の最適な一つの画像Ｉｍｇが画像配置領域に配置された宛名面領域１００が表示される。一方、ユーザーがクリスマスカードを作成中でその宛先情報１１２に「アメリカ合衆国」が含まれる場合、図５における画像Ｉｍｇに替え、クリスマス用の画像が配置される。ここで、最適な一つの画像は、最適度が同じ複数の画像が存在する場合は、画像番号の若い順など予め設定された優先順位に従って画像が選択される。また、例えば正月用とクリスマス用の両方に関連付けられた画像よりも、正月用のみに関連付けられた画像の方が、正月用の最適度が高いと判定される。なお、ユーザーが表示された画像が気に入らない場合は、操作部３０の操作で次候補の画像に切替えることができる。
【００９２】
一方、ステップＳ３９では、コンピューター５０は、選択した画像を一覧表示させる。図４（ａ）に示す例の宛先情報１１２から「日本」が特定された場合、例えば図６に示す正月用の画像データＩＤ１〜ＩＤ９が一覧表示された一覧表示画面１５０が表示される。一方、宛先情報１１２から「アメリカ合衆国」が特定された場合、例えば図７に示すクリスマス用の画像データＩＤ１１〜ＩＤ１９が一覧表示された一覧表示画面１５０が表示される。ユーザーは一覧表示画面１５０の中から所望の一つの画像を選択操作部３２の操作で選択したうえで確定操作部３３（いずれも図１参照）を操作してその画像を確定する。
【００９３】
そして、次のステップＳ４０では、コンピューター５０は、操作部３０により選択された一つの画像ＩＤ１を宛名面領域１００に表示させる。この結果、例えば図５に示すように、宛名面領域１００の画像配置領域にユーザーが選択した正月用のフォーマルな画像Ｉｍｇが配置される。一方、図７に示す一覧表示画面１５０の中からユーザーが所望の画像ＩＤ１３を選択した場合は、ユーザーが作成中の例えばクリスマスカードの画像配置領域に、ユーザーが選択したクリスマス用のフォーマルな例えば画像ＩＤ１３が配置される。なお、「関係」が「友人」である場合、場所が「日本」であれば、カジュアルな正月の画像が選択され、例えば一覧表示の場合、図６のフォーマルな正月の画像に替えてカジュアルな正月の画像が一覧表示される。また、「関係」が「友人」である場合、場所が「欧米」であれば、カジュアルなクリスマスの画像が選択され、例えば一覧表示の場合、図７のフォーマルなクリスマスの画像に替えてカジュアルなクリスマスの画像が一覧表示される。なお、本実施形態では、時期と場所とに応じた画像が宛名面領域に配置された内容を表示させるためにその画像配置後の宛名面データに基づき表示用データ（印刷用データの一例）を生成するステップＳ３８及びＳ４０の処理が、「生成ステップ」の一例に相当する。
【００９４】
次に、図１１に示すフローチャートと、図１２に示す補正マップＭＡとを参照して、画像Ｉｍｇの明度を高くして印刷濃度を薄くする画像処理の内容について説明する。
図１２に示す補正マップＭＡは、補正前の画像ＩｍｇのＲＧＢ値に応じて補正後の画像Ｉｍｇ１のＲＧＢ値を決定する際に参照される。この補正マップＭＡを示すグラフは、横軸が補正前の画像のＲＧＢ値（２５６階調）とされ、縦軸が補正後の画像のＲＧＢ値（２５６階調）とされている。そして、図１２に示すグラフにおいて、一点鎖線で示す直線ＬＢは、補正前と補正後でＲＧＢ値が同じで、明るさの補正が行われない場合のトーンカーブを示す。一点鎖線で示す直線ＬＢよりも下側の領域では、補正前の画像のＲＧＢ値よりも補正後の画像のＲＧＢ値が小さくされ、この一点鎖線で示す直線ＬＢよりも上側の領域では、補正前の画像のＲＧＢ値よりも補正後の画像のＲＧＢ値が大きくされる。
【００９５】
そして、図１２に示す本実施形態の補正マップＭＡによれば、補正前の画像ＩｍｇのＲＧＢ値が閾値Ｔｈ以上のＲＧＢ値に補正される。閾値Ｔｈは、画像と文字が重なっても、文字を判別できる程度に画像を淡くできる最小のＲＧＢ値以上の所定のＲＧＢ値に設定されている。
【００９６】
ところで、トーンカーブ補正が、座標（０，０）と座標（２５５，２５５）の二点を結んだ線分（図１２では一点鎖線）を調整するものである場合、上記二点を固定した状態で、この二点間を結ぶ線分を上に凸とすることで画像を淡くすることができる。このため、図１２に一点鎖線で示す直線状のトーンカーブを、画像を淡くするためにできるだけ閾値Ｔｈ以上の領域を通るように、座標（０，０）の点から急峻な立ち上がりで大きく上に凸となるカーブを描くように調整すればよい。しかし、このように調整しても、図１２に二点鎖線で示すように、補正前の画像ＩｍｇのＲＧＢ値が「０（零）」から値Ｖａの範囲で、補正後の画像ＩｍｇのＲＧＢ値が閾値Ｔｈ未満の値をとることになる。この場合、補正前に０以上Ｖａ未満の範囲内のＲＧＢ値の画素を有する画像においては、補正後の画像において、依然として色の濃い画素（暗い画素）が存在し、その濃い画素の部分に文字が重複するとその文字が判別しにくくなることがある。このため、図１２に太線の実線で示すように、本実施形態の補正マップＭＡでは、補正前の画像ＩｍｇのＲＧＢ値が「０（零）」から値Ｖａの範囲の部分が、補正後の画像がとりうる最小のＲＧＢ値である閾値Ｔｈに設定されている。
【００９７】
図１２に示す補正マップＭＡによれば、補正前の画像ＩｍｇのＲＧＢ値が値Ｖａ以下であっても、補正後の画像Ｉｍｇ１のＲＧＢ値は閾値Ｔｈとされる。また、補正前の画像ＩｍｇのＲＧＢ値が値Ｖａよりも大きい場合、補正後の画像Ｉｍｇ１のＲＧＢ値は、閾値Ｔｈよりも大きな値であって、且つ補正前の画像のＲＧＢ値が大きいほど大きな値をとる。したがって、ＲＧＢ値が値Ｖａ以下であって明度が比較的低い色（例えば黒色）は、ＲＧＢ値が閾値Ｔｈであって明度が比較的高い色（例えば灰色）に補正される。また、補正前のＲＧＢ値が値Ｖａよりも大きく明度が比較的高い色（例えば白色）は、補正後にＲＧＢ値が閾値Ｔｈよりも大きく明度が比較的高い色（例えば白色）に補正される。なお、図１２に示すマップは、ＲＧＢ値を全て同じように補正するものであるが、各色（赤（Ｒ）、緑（Ｇ）、青（Ｂ））に応じた補正マップを用意し、各色で補正マップを使い分けてもよい。
【００９８】
次に、図１１に示すフローチャートを参照して、画像Ｉｍｇに印刷濃度を薄くする画像処理を施すために、コンピューター５０が図９におけるステップＳ１５及びＳ１８において実行する画像処理ルーチンについて説明する。
【００９９】
まずステップＳ５１において、コンピューター５０は、補正前の画像Ｉｍｇを取得する。次のステップＳ５２において、コンピューター５０は、図１２に示す補正マップＭＡを取得する。そして、ステップＳ５３において、コンピューター５０は、補正マップＭＡに基づいて画像Ｉｍｇを補正する。すなわち、補正前の画像ＩｍｇのＲＧＢ値が、図１２に示す補正マップＭＡを参照して補正後の画像Ｉｍｇ１のＲＧＢ値に変換されるトーンカーブ補正処理により、画像Ｉｍｇは明度の高い画像Ｉｍｇ１に補正される。この場合、補正前の画像ＩｍｇのＲＧＢ値が閾値Ｔｈ以上のＲＧＢ値に補正されるため、画像Ｉｍｇ１は補正前のＲＧＢ値に関わらずその全域において、重なった文字を判別できる程度に淡く調整される。
【０１００】
続いて、ステップＳ５４において、コンピューター５０は、補正後の画像Ｉｍｇ１を宛名面領域１００における補正前と同じ位置に再配置する。これにより、記憶部６６には、補正前の画像Ｉｍｇに替えて補正後の画像Ｉｍｇ１が、補正前の画像Ｉｍｇの座標と共に書き込まれる。
【０１０１】
なお、図９に示す処理ルーチンでは、プレビュー操作（Ｓ１４）又印刷指示（Ｓ１７）をトリガーとして画像処理を行う例を説明した。これに対して、ユーザーが操作部３０の操作で画像自動選択ボタン１４１を選択操作したことをトリガーとして画像選択処理を行い、このとき自動画像処理が有効になっていれば、その選択した画像Ｉｍｇに画像処理を施し、その画像処理後の淡い画像Ｉｍｇ１を宛名面領域１００の画像配置領域に配置する構成としてもよい。この場合、画像処理後の淡い画像Ｉｍｇ１が宛名面領域１００に配置されるので、その選択された画像Ｉｍｇ１が文字情報１１０の背景として適切であるか否かを直ぐに判断できる。また、選択された画像Ｉｍｇを宛名面領域１００に配置された後、ユーザーが操作部３０の操作で自動画像処理ボタン１４４を選択操作したことをトリガーとして、そのとき宛名面領域１００に配置された画像Ｉｍｇ又はユーザーによる操作部３０の操作により選択状態（又はアクティブ状態）とされた画像に対して画像処理を施す構成としてもよい。
【０１０２】
次に、本実施形態の印刷装置１１の作用について説明する。
ユーザーは操作部３０を操作して、宛名面編集画面に表示された図４に示す宛名面領域１００に、同図に示すように文字情報１１０を配置する。ユーザーは画像を自動選択させるために操作部３０を用いて画像自動選択ボタン１４１を操作する。画像自動選択の実行の指示を受け付けたコンピューター５０は、記憶部６６から、選択中の宛名面データに対して処理のなされた時期（処理時期）を取得する。また、コンピューター５０は、記憶部６６から、選択中の宛名面データにおける宛先情報１１２を基に場所を取得する。さらにコンピューター５０は、住所録データＡＤからその選択中の宛先情報１１２に対応する宛名人のユーザーとの「関係」を取得する。そして、コンピューター５０は、その取得した「関係」から画像種を取得する。
【０１０３】
そして、コンピューター５０は、記憶部６６に時期（画像分類時期）、場所、画像種に関連付けられた状態で記憶された画像データＩＤ群のうちから、処理時期、場所、画像種に関連付けられた画像を選択する。このとき、コンピューター５０は、時期（画像分類時期）ごとに対応付けられた期間のうち、処理時期が属する期間が存在するか否かを判定し、その処理時期が属する期間が存在すれば、その期間に対応する時期（画像分類時期）を取得する。つまり、本実施形態では、宛名面データに対して処理がなされた時期（処理時期）は、各画像データＩＤに関連付けられた時期（画像分類時期）と期間との対応関係を示すテーブルデータを介して、画像分類時期と対応付けられている。この点において、処理時期は、画像分類時期を介して、画像データＩＤと関連付けられている。このように、処理時期と画像データＩＤとの関連付けは、直接的でも間接的でもよい。例えば、画像が期間（時期の一例）と関連付けられており、これらの期間のうち処理時期が属する期間があれば、その期間と関連付けられた画像を選択する構成でもよい。
【０１０４】
例えば処理時期が１２月１５日であったとすると、この処理時期は、時期コード「０００１」（正月）に設定された期間１２月１日〜１月７日と、時期コード「００１０」（クリスマス）に設定された期間１２月１日〜１２月２５日との２つの期間に属する。よって、これら２つの期間に対応する時期コードとして「０００１」（正月）と「００１０」（クリスマス）とが取得される。
【０１０５】
例えばユーザーが年賀状を作成しており、その宛先情報が日本国内の住所であれば、その宛先情報から場所は「日本」と特定される。また、例えばユーザーがクリスマスカードを作成しており、その宛先情報がアメリカ合衆国の住所であれば、その宛先情報から特定される場所として「アメリカ合衆国」と「欧米」が取得される。
【０１０６】
また、宛名人の「関係」が「上司」であれば、画像種として「フォーマル用」（例えば「０１」）が選択され、「友人」であれば、画像種として「カジュアル用」（例えば「１０」）が選択される。
【０１０７】
このため、処理時期が属する期間に対応する時期（画像分類時期）が「正月」と「クリスマス」であり、場所が「日本」である場合、時期と場所の２つの条件から「正月」と特定される。さらに、画像種が「フォーマル用」であれば、正月のフォーマルな画像ＩＤ１〜ＩＤ９（図６参照）が選択される。これに対して画像種が「カジュアル用」であれば、正月のカジュアルな画像（図示せず）が選択される。そして、一枚表示が設定されている場合、正月のフォーマルな画像ＩＤ１〜ＩＤ９のうちから所定のルールで選択された図５に示す正月のフォーマルな画像Ｉｍｇが宛名面領域１００の画像配置領域に配置される。つまり、時期、場所、識別情報を基に自動選択された一枚の画像Ｉｍｇが表示される。また、一覧表示が設定されている場合、図６に示す画像データＩＤ１〜ＩＤ９を含む一覧表示画面１５０が表示部１７に表示される。つまり、時期、場所、識別情報を基に自動選択された複数枚の画像ＩＤ１〜ＩＤ９が一覧表示される。この場合、ユーザーは操作部３０を操作して、図６に示す一覧表示画面１５０から所望の１つの画像データＩＤ１を選択する。すると、その選択した画像ＩＤ１（図５では画像Ｉｍｇ）が、宛名面領域１００の画像配置領域に配置される。
【０１０８】
一方、処理時期が属する期間に対応する時期（行事等）が「正月」と「クリスマス」であり、場所が「欧米」である場合、時期と場所の２つの条件から「クリスマス」と特定される。さらに、画像種が「フォーマル用」であれば、クリスマスのフォーマルな画像ＩＤ１１〜ＩＤ１９が選択される。これに対して画像種が「カジュアル用」であれば、クリスマスのカジュアルな画像（図示せず）が選択される。この結果、一枚表示が設定されている場合、クリスマスのフォーマルな画像ＩＤ１３が宛名面領域１００の画像配置領域に配置される。つまり、時期、場所、識別情報を基に自動選択された一枚の画像ＩＤ１３が表示される。また、一覧表示が設定されている場合、図７に示す画像データＩＤ１１〜ＩＤ１９を含む一覧表示画面１５０が表示される。つまり、時期、場所、識別情報を基に自動選択された複数枚の画像ＩＤ１１〜ＩＤ１９が一覧表示される。この場合、ユーザーは操作部３０を操作して、図７に示す一覧表示画面１５０から所望の１つの画像データＩＤ１３を選択する。すると、その選択した画像ＩＤ１３が、宛名面領域１００の画像配置領域に配置される。その後、ユーザーによる操作で必要に応じて画像の位置調整が行われる。
【０１０９】
コンピューター５０は、自動画像処理が設定されている状態の下で、プレビュー操作を受け付けると、例えば図５に示す画像Ｉｍｇの全体に印刷濃度を薄くする画像処理を施す。この場合、コンピューター５０は図１２に示す補正マップＭＡを参照して補正前の画像ＩｍｇのＲＧＢ値を補正後の画像のＲＧＢ値に変換するトーンカーブ補正処理を行う（図１１のＳ５３）。この結果、図８に示すように、淡く補正された画像Ｉｍｇ１が文字情報１１０の背景に配置された宛名面領域１００が表示される。なお、このときの表示に用いられるプレビューデータは、空白の宛名面画像と、文字情報１１０と画像Ｉｍｇ１とを含む宛名面データに基づいて生成される。また、このプレビューデータは、表示部１７への表示に高解像度が必要ないことから低解像度で生成される。
【０１１０】
ユーザーはプレビューされた図８に示す宛名面情報を確認し、問題がなければ、操作部３０を用いて印刷を指示する。印刷指示を受け付けたコンピューター５０は、画像Ｉｍｇの全体に印刷濃度を薄くする画像処理（第１の画像処理）を施す。この場合、コンピューター５０は図９に示す補正マップＭＡを参照して補正前の画像ＩｍｇのＲＧＢ値を補正後の画像のＲＧＢ値に変換するトーンカーブ補正処理を行う（図１１のＳ５３）。この結果、図８に示す宛名面領域１００に配置された文字情報１１０と淡い画像Ｉｍｇ１とを含む宛名面データに基づいて印刷データが生成される。そして、印刷制御部７０が、印刷データに基づいて印刷ヘッド２５及び搬送モーター２４を制御することにより、ハガキＰの宛名面に図５と同様の印刷内容が印刷される。このハガキＰの宛名面には、画像が淡く印刷されるので、共に印刷された住所及び氏名を含む文字情報１１０は容易に視認できる。
【０１１１】
以上詳述した本実施形態によれば、以下に示す効果を得ることができる。
（１）画像選択部６２は、時期と場所とのうち少なくとも一方に関連付けられた画像を記憶する記憶部６６から、宛名面データに対する処理のなされた時期と、宛先情報１１２から特定される場所とのうち少なくとも一方に関連付けられた画像を選択し、その選択した画像を表示部１７に表示させる。よって、編集画面においてハガキＰの宛名面に画像を配置する場合に、宛名面作成時期又は印刷時期から特定される時期（正月又はクリスマス等）に合った画像と、宛先情報１１２から特定される場所（日本又は欧米等）に合った画像とのうち少なくとも一方を比較的簡単に選択することができる。
【０１１２】
（２）記憶部６６には宛名人ごとにフォーマル用とカジュアル用を判別可能な識別情報が記憶されている。画像選択部６２は、識別情報がフォーマル用であればフォーマル用の画像を選択し、カジュアル用であればカジュアル用の画像を選択する。よって、宛名人に合ったフォーマル用又はカジュアル用の画像を表示部１７に表示させることができる。例えば、上司等のフォーマルな関係にある宛名人の場合、表示部１７にフォーマルな画像が表示される。一方、友人等でカジュアルな関係にある宛名人の場合、表示部１７にカジュアル用の画像が表示される。よって、上司か友人かなどの宛名人との関係に適した画像を選択できる。
【０１１３】
（３）画像選択部６２は、記憶部６６に記憶された宛先情報に基づいて宛先地の属する国以上の地域を判定し、この判定した地域と関連付けられた画像を選択する。このため、宛先地の属する例えば国に合った画像が選択される。例えば日本であれば、正月用の画像を選択することができる。また、地域が国より広い例えば欧米であれば、クリスマス用の画像を選択することができる。
【０１１４】
（４）宛名面データに対する処理のなされた時期として、宛名面データの作成時期、更新時期及び印刷時期のうち少なくとも一つを採用した。宛名面の作成、編集、印刷は、郵便物の配達時期よりも少し早い時期に行われるため、特定の行事等の時期に配達される郵便物の宛名面の作成、編集、印刷が行われる期間はおおよそ推定できる。よって、作成時期、更新時期、印刷時期のうち少なくとも一つから推定される行事や季節等（画像分類時期）に合った適切な画像を選択することができる。
【０１１５】
（５）宛名面データに対する処理時期と宛先情報１１２から特定される場所とに応じて選択された画像Ｉｍｇを、宛名面領域１００の画像配置領域に表示させるので、その画像が文字情報１１０の背景として適切かどうかをその画像が配置された位置で直ぐに判断することができる。特に画像自動選択時に画像処理後の淡い画像Ｉｍｇ１を画像配置領域に配置する構成である場合、その淡くされた画像Ｉｍｇ１が文字情報１１０の背景として適切であるかどうかを直ぐに判断できる。また、画像を宛名面領域１００に配置した後に自動画像処理ボタン１４４を操作してその画像に画像処理を施す場合、プレビュー操作や印刷指示操作を行わなくても、宛名面編集途中において、その淡くされた画像Ｉｍｇ１が文字情報１１０の背景として適切であるかどうかを判断できる。
【０１１６】
（６）宛名面データに対する処理時期と宛先情報１１２から特定される場所とに応じて選択された複数の画像を、図６及び図７に示す一覧表示画面１５０に一覧表示させることができる。このため、ユーザーは、一覧表示された複数の画像の中から所望の画像を選択することができる。よって、一つずつ画像が表示される構成に比べ、画像選択の作業効率が向上する。
【０１１７】
（７）画像選択部６２より選択された画像に印刷濃度を薄くする画像処理を施す画像処理部６３を更に備えた。このため、画像が宛先情報１１２を含む文字情報１１０と重なっても、その文字情報１１０のうち画像と重なった文字が視認できなくなることを抑制できる。
【０１１８】
（８）プレビューデータ（印刷用データの一例）に基づいて画像が配置された宛名面領域１００を表示部１７に表示するので、印刷結果を事前に確認することができる。よって、宛名面領域１００に配置した画像が適切であるかどうかを印刷する前に事前に確認することができる。
【０１１９】
（９）画像処理として、画像ＩｍｇのＲＧＢ値（明度）が補正マップＭＡに基づいて高い値に変換されるトーンカーブ補正処理を行うことで、印刷濃度の薄い画像Ｉｍｇ１を得る。ところで、ハガキＰの媒体色と同系色の半透明のマスク画像を、視方向における画像Ｉｍｇと文字情報１１０との間の層に配置する画像処理によっても、画像Ｉｍｇの印刷濃度を薄くことはできる。しかし、この場合、マスク画像の非透過部分に覆われた画素が見えなくなるので、画像が相対的に粗くなる。これに対して、トーンカーブ補正処理は、補正後も画素が隠れることがないため、画像が淡くなっても、マスク画像処理ように画像が粗くなることを抑制することができる。また、補正マップＭＡのトーンカーブは調整できるので、印刷濃度の設定や変更がし易い。
【０１２０】
（１０）補正マップＭＡ（トーンカーブ）は、補正前のＲＧＢ値（明度）の最低値寄りのごく一部の領域（０〜Ｖａ）（ＲＧＢ値の全域の２０％以下の値Ｖａ以下の領域）において補正後のＲＧＢ値（明度）が、必要な最低ＲＧＢ値である一定の閾値Ｔｈ（＞０）に設定されている。よって、補正前の画像におけるＲＧＢ値の極めて低い部分（暗い部分）を含む全体を、要求される一定の閾値Ｔｈ以上のＲＧＢ値となる薄い印刷濃度に補正することができる。したがって、補正後の画像Ｉｍｇ１を印刷した場合、文字情報１１０の視認性がよくなる。
【０１２１】
（１１）印刷装置１１は、印刷制御装置６０と、印刷データ生成部６５が生成した印刷データに基づき画像処理後の画像Ｉｍｇ１と文字情報１１０とを印刷する印刷エンジン４６（印刷部の一例）とを備えている。このため、印刷装置１１によって、宛名面データに対する処理のなされた時期と宛先情報１１２から特定される場所との少なくとも一方に応じて選択された画像を宛名面に印刷することができる。
【０１２２】
（１２）コンピューター５０に印刷制御プログラム（ステップＳ１２〜Ｓ１９）を実行させることにより、印刷制御装置６０の各機能部分が構成され、上記（１）〜（１０）と同様の効果を得ることができる。
【０１２３】
なお、上記実施形態は以下のような形態に変更することもできる。
・画像処理は、宛名面に画像を薄く印刷することができるのであれば、トーンカーブ補正以外の他の画像処理を採用してもよい。例えば、ハガキの媒体色（宛名面の地の色）と同系色であって且つ所定の透過率の半透明なマスク画像を画像Ｉｍｇと略同形状・略同サイズで作成し、このマスク画像を画像Ｉｍｇとその視方向上流側の層に位置する文字情報１１０との間の層に配置し、画像Ｉｍｇの全域をこのマスク画像で覆う。このマスク画像ＭＳ１を用いた画像処理によっても、図８に示すような淡い画像Ｉｍｇ１を生成することができ、ハガキＰの宛名面に印刷した場合、文字情報のうち画像と重なった部分も視認し易い。また、画像Ｉｍｇをマスク画像で覆うだけなので、画像Ｉｍｇに特別な画像処理を施すことなく、印刷濃度を薄くすることができる。
【０１２４】
・画像処理（トーンカーブ補正処理）で用いる補正マップは、画像を薄くすることができるのであれば、図１２に示す補正マップＭＡとは異なる他のマップでもよい。例えば図１３に示すように、補正後に、要求される最大印刷濃度に対応する閾値Ｔｈ（＞０）以上のＲＧＢ値をとり、且つ補正前の画像のＲＧＢ値の全範囲で、補正前のＲＧＢ値が大きいほど、補正後のＲＧＢ値が大きくなるような補正マップＭＢを採用してもよい。この補正マップＭＢを使用すれば、画像に印刷濃度を薄くする画像処理が施された際、補正後の画像Ｉｍｇ１のＲＧＢ値の全域において補正前の画像Ｉｍｇの各画素のＲＧＢ値（明度）が反映される。よって、画像が淡くなっても元の絵柄が反映され易い。
【０１２５】
また、図１４に示すように、補正前の画像のＲＧＢ値の変化量に対する補正後の画像のＲＧＢ値の変化量を示す勾配（変化率）が一定となる補正マップＭＣを採用してもよい。この補正マップＭＣによっても、画像が淡くなっても元の絵柄が反映され易い。また、図１３に示すマップのグラフにおいて座標（０，Ｔｈ）、（２５５，２５５）で示される二点を、二次関数、又はそれ以上の高次関数で示されるカーブで結んだ補正マップであってもよい。こうした補正マップＭＢ，ＭＣを用いて得られた画像処理後の画像を印刷した場合、画像と重なった文字が視認し易くなる。
【０１２６】
・上記実施形態では、印刷装置１１が印刷制御装置６０を備え、印刷装置１１が単体で、宛名面の作成・編集から印刷までを行う構成であった。これに対して、例えば図１５に示すように、ホスト装置９０（外部装置）と、このホスト装置９０と有線又は無線で通信可能な印刷装置１１Ａとを備えた印刷システムにおいて、ホスト装置９０が印刷制御装置６０を備えてもよい。ホスト装置９０は例えばパーソナルコンピューターである。この構成では、ユーザーはホスト装置９０の操作部３０を操作して宛名面データを編集し、画像処理部６３による画像処理後の画像Ｉｍｇ１と文字情報１１０とを含む宛名面データに基づいて印刷データを生成し、その生成した印刷データを印刷装置１１Ａに送信する。そして、印刷装置１１Ａでは、ホスト装置９０から受信した印刷データに基づいてハガキＰの宛名面への印刷を行う。この場合、ホスト装置９０のコンピューターが印刷制御プログラムを実行することにより、このコンピューターが印刷制御装置６０として機能する。
【０１２７】
・図１６に示すように、ホスト装置９１（外部装置）と、このホスト装置９１と有線又は無線で通信可能な印刷装置１１Ｂとを備えた印刷システムにおいて、印刷制御装置６０の一部と他の一部が、ホスト装置９１と印刷装置１１Ｂの双方に分かれて存在していてもよい。図１６に示す例では、印刷制御装置６０のうち印刷データ生成部６５が印刷装置１１Ｂに備えられ、印刷制御装置６０を構成するその他の部分がホスト装置９１に備えられている。ホスト装置９１は、例えばスマートフォン、携帯電話、タブレットＰＣ、携帯情報端末（ＰＤＡ（Personal Digital Assistants））等の携帯端末である。携帯型のホスト装置９１のメモリー容量の節約のため、印刷データの生成は印刷装置１１Ｂ側で行う。このため、ホスト装置９１は印刷装置１１Ｂに宛名面データを送信する。そして、この宛名面データを受信した印刷装置１１Ｂは印刷データ生成部６５により印刷データを生成し、印刷エンジン４６がハガキＰの宛名面に印刷データに基づく印刷を行う。
【０１２８】
・画像に印刷濃度を薄くする画像処理に替え、宛名面領域１００に配置された文字情報１１０と画像Ｉｍｇとが重なる場合、画像Ｉｍｇにおける文字領域１３０と重なる部分に、文字領域１３０と重ならない部分よりも印刷濃度を薄くする画像処理を施してもよい。この場合、ハガキＰの宛名面に印刷された文字情報のうち画像と重なる文字も視認し易くなる。
【０１２９】
・宛名面領域１００に配置された画像処理後の淡い画像Ｉｍｇ１における文字領域１３０と重なる部分に、更に印刷濃度を薄くする画像処理を施してもよい。この場合、文字情報１１０における画像Ｉｍｇと重なった部分が更に視認し易くなる。
【０１３０】
・画像処理部６３を廃止してもよい。例えば予め印刷濃度の薄い画像データであれば、画像処理を施さなくても、その画像と重なった文字は視認し易い。また、画像データを宛名面領域１００における文字情報１１０と重ならない領域に配置すれば、その画像に画像処理を施さなくても、文字情報１１０は視認できる。
【０１３１】
・前記実施形態では、時期と場所との両方に画像を関連付けて記憶部６６に記憶したが、時期と場所とのうち一方のみを画像と関連付けて記憶部６６に記憶しておいてもよい。例えば時期と関連付けた画像のみを記憶部６６に記憶しておく場合は、画像選択部６２は、宛名面データに対する処理のなされた時期（処理時期）に応じた画像を選択して表示部１７に表示することになる。この場合、処理時期に応じた行事や季節等の時期（画像分類時期）に合った画像が表示部１７に表示されるので、ユーザーは時期に合った画像を記憶部に記憶された複数の画像の中から探さなくてもよい。一方、場所と関連付けた画像のみを記憶部６６に記憶しておく場合は、画像選択部６２は、宛先情報から特定される場所に応じた画像を選択して表示部に表示することになる。この場合、場所に合った画像が表示部１７に表示されるので、ユーザーは場所に合った画像を記憶部に記憶された複数の画像の中から探さなくてもよい。また、上記のそれぞれの構成においても識別情報を用いて、時期と識別情報とに基づいてフォーマルな画像とカジュアルな画像とを区別して選択したり、場所と識別情報とに基づいてフォーマルな画像とカジュアルな画像とを区別して選択したりしてもよい。
【０１３２】
なお、画像選択部６２は、少なくとも時期に関連付けられた画像を記憶する記憶部６６から、宛名面データに対する処理のなされた時期に関連付けられた画像を選択して表示部１７に表示させる構成が好ましい。この構成によれば、その処理がなされた時期から特定される行事や季節等（画像分類時期）に合った画像を比較的簡単に選択し、宛名面データを比較的簡単に作成できる。例えば正月やクリスマス等の行事に合った画像を比較的簡単に選択できるうえ、処理時期から決まる配達時期が属する季節に合った画像を比較的簡単に選択できる。
【０１３３】
・識別情報は、宛名人の「関係」に限定されない。宛名人の氏名に付す「敬称」を識別情報として用いてもよい。例えば「様」であれば、フォーマルな画像を選択し、「君」であればカジュアルな画像を選択してもよい。
【０１３４】
・識別情報の使用は廃止してもよい。この構成によっても、時期と場所とのうち少なくとも一方によっても、時期又は場所に合った画像を選択することはできる。
・記憶部は、印刷装置内に設けられた不揮発性メモリーやメモリーカードに限定されない。例えばＵＳＢメモリーや、磁気ディスク、ＣＤやＤＶＤ等の光ディスクなどの外部記憶媒体でもよい。また、記憶部は、印刷装置と通信可能に接続されるホスト装置内のハードディスク又は不揮発性メモリーでもよい。また、記憶部は、印刷装置又はホスト装置がアクセス可能なサーバー内の記憶部であってもよい。この場合、ホスト装置又は印刷装置内の画像選択部６２は、サーバーにアクセスして、宛名面データに対する処理のなされた時期（更新時期や印刷時期等）に応じた画像を選択したり、宛先情報から特定される場所に応じた画像を選択したりする。
【０１３５】
・記憶部には、郵便物の配達時期に関連付けて画像データが記憶されていてもよい。例えば正月（１月１日）に関連付けて正月に関連する画像が記憶され、１２月２４日及び２５日に関連付けてクリスマスに関連する画像が記憶される。宛名面データの作成時期、宛名面データに基づく印刷がなされた印刷時期から、配達時期を推測してもよい。そして、画像選択部６２は、その推測した配達時期に関連付けられた画像を表示部１７に表示させる。
【０１３６】
・宛名面データに対する処理のなされた時期は、宛名面データの作成時期、更新時期、印刷時期、及び宛名面データに対して登録された投函時期のうち少なくとも一つであれば足りる。ここで、投函時期とは、ユーザーが宛名面データごとに住所録データＡＤ等に登録しておいた投函するべき予定日又は締切り日などを指す。例えば作成時期のみの採用、更新時期のみの採用、印刷時期のみの採用、投函時期のみ採用のいずれかでもよい。また、作成時期、更新時期、印刷時期及び投函時期のうちから選択された二つの時期を採用してもよい。また、これら四種類の時期以外でもよく、例えば画像自動選択の指示がなされた時期だけを採用してもよい。この場合、画像選択部６２は、ユーザーが画像自動選択の実行を指示したそのときの操作時期（現在の時期（年月日））に基づいて画像を選択する。
【０１３７】
・画像処理は、画像の印刷濃度を薄くすることができるのであれば、トーンカーブ補正処理に替え、他の画像処理としてもよい。例えば、ハガキの媒体色（宛名面の地の色）と同系色であって且つ所定の透過率の半透明なマスク画像を画像Ｉｍｇと略同形状・略同サイズで作成し、このマスク画像を画像Ｉｍｇと文字情報１１０との間の層に配置し、画像Ｉｍｇの全域をこのマスク画像で覆う。マスク画像の透過率は、画像Ｉｍｇ１と重なった文字情報が視認し易くなる所定値（例えば３０〜７０％の範囲内の値）に設定することができる。このマスク画像を用いた画像処理によっても、図８に示すような淡い画像Ｉｍｇ１を生成することができ、ハガキＰの宛名面に印刷した場合、図８に示すように、文字情報１１０のうち画像Ｉｍｇ１と重なった部分も視認し易くなる。また、画像Ｉｍｇをマスク画像で覆うだけなので、画像Ｉｍｇに特別な画像処理を施すことなく、印刷濃度を薄くすることができる。
【０１３８】
・画像Ｉｍｇの明度（例えばＲＧＢ値）を検出して、その明度の検出結果に基づいて画像処理部６３による画像処理によって薄くする印刷濃度を調整してもよい。画像処理部６３は、例えば明度の検出結果に基づいて閾値Ｔｈ又はマスク画像の透過率を調整する。詳しくは、画像Ｉｍｇの明度が低いほど、閾値Ｔｈを高くし、マスク画像の透過率を低くする。この際、画像Ｉｍｇの明度を検出する方法としては、画像Ｉｍｇの全画素のＲＧＢ値の平均値、あるいは画像全体の明度を表すとみなしうる複数箇所で検出したＲＧＢ値の平均値を用いる例が挙げられる。
【０１３９】
・表示部１７をタッチパネルとし、操作部３０に替え又は操作部３０に加えて、タッチパネルを操作部の一例とする構成でもよい。
・印刷制御装置６０を構成する各機能部を、印刷制御プログラムを実行するＣＰＵ５１によりソフトウェアで実現したが、ＡＳＩＣ等の電子回路によりハードウェアで実現したり、ソフトウェアとハードウェアとの協働により実現したりしてもよい。
【０１４０】
・印刷装置１１は、ハガキＰなどの郵便物に印刷することのできるものであれば、インクジェット式プリンター以外の他の印刷装置であってもよい。例えば、印刷装置は、ドットインパクト式やレーザー式のプリンターであってもよいし、複合機であってもよい。さらに、印刷装置は、シリアルプリンター、ラインプリンター又はページプリンターであってもよい。
【０１４１】
・印刷装置１１の印刷対象物である郵便物は、ハガキＰに限らず、封筒などの他の郵便物であってもよい。この場合、封筒などの他の郵便物の宛名面の大きさに応じて、文字領域１３０及び画像配置領域の範囲を変更することが好ましい。また、郵便物は、郵便局で配達の対象とされる荷物を入れて配達されるものでもよく、例えばパックに手紙や荷物を封入するもの、箱に荷物を詰めたものでもよい。この場合、宛名面は、宛名シール（宛名ラベル）で構成され、宛名シールに宛先情報や差出人情報などの文字情報を印刷した後に、その宛名シールがパック又は箱の所定の場所に貼られて郵便物とされる。この種の郵便物においてパックや箱と分離された状態の宛名シールの宛名面に印刷するものであってもよい。つまり、郵便物の宛名面は、印刷時に郵便物と一体である必要はなく、宛名シールのように郵便物から宛名面を形成する部分が分離されたものであってもよい。なお、本明細書において、郵便物には、宅配便の配達対象物も含まれるものとする。宅配便についてもパック又は箱に貼付して使用される宛名シールの宛名面が「郵便物の宛名面」に相当する。
【符号の説明】
【０１４２】
１１…印刷装置、１７…表示部、２４…印刷部の一例を構成する搬送モーター、２５…印刷部の一例としての印刷ヘッド、４６…印刷部の一例としての印刷エンジン、５０…コンピューター、６０…印刷制御装置、６１…文字配置部、６２…画像選択部、６３…画像処理部、６４…表示処理部、６５…生成部の一例としての印刷データ生成部、６６…記憶部、１００…宛名面領域、１１０…文字情報、１１２…宛先情報、１３０…文字領域、ＭＡ，ＭＢ，ＭＣ…補正マップ、Ｉｍｇ…画像（画像処理前の画像データ）、Ｉｍｇ１…画像（画像処理後の画像データ）、ＩＤ…画像データ、Ｐ…郵便物の一例としてのハガキ。
【図１】
2015104824.tif 000003
【図２】
2015104824.tif 000004
【図３】
2015104824.tif 000005
【図４】
2015104824.tif 000006
【図５】
2015104824.tif 000007
【図６】
2015104824.tif 000008
【図７】
2015104824.tif 000009
【図８】
2015104824.tif 000010
【図９】
2015104824.tif 000011
【図１０】
2015104824.tif 000012
【図１１】
2015104824.tif 000013
【図１２】
2015104824.tif 000014
【図１３】
2015104824.tif 000015
【図１４】
2015104824.tif 000016
【図１５】
2015104824.tif 000017
【図１６】
2015104824.tif 000018